(57)【要約】【課題】ワゴン本体の上面から外した補助箱を、紛失することのないように、また机の天板の高さ調節その他の妨げとなることのないように、ワゴン本体自体に装着しうるようにしたワゴン、およびそのワゴンを、体裁よく、また使い勝手のよいように収容しうるようにしたワゴン付き机を提供する。【解決手段】箱状のワゴン本体３の上面に、補助箱４を載置するか、または着脱自在に設け、かつワゴン本体３の後面に、上面から外した補助箱４を装着しうる取付部２０を設ける。【選択図】  図１
2010022620.tif 000002
【特許請求の範囲】
【請求項１】
箱状のワゴン本体の上面に、補助箱を載置するか、または着脱自在に設け、かつ前記ワゴン本体の後面に、上面から外した前記補助箱を装着しうる取付部を設けたことを特徴とするワゴン。
【請求項２】
補助箱に、ワゴン本体の上面と後面の取付部とに共通して結合しうる結合手段を設けた請求項１記載のワゴン。
【請求項３】
ワゴン本体の下端にキャスタを設けることにより、ワゴン本体が床面上を移動しうるようにするとともに、ワゴン本体の上面に装着したときの補助箱の後面に補助キャスタを設け、前記補助箱をワゴン本体の後面の取付部に、前記補助箱の後面が下方を向くようにして装着したとき、前記補助キャスタが接床するようにした請求項１または２記載のワゴン。
【請求項４】
ワゴン本体および補助箱を、前面が開口する箱状とし、各前面開口部に、引出しを前方に出し入れ自在として装着した請求項１〜３のいずれかに記載のワゴン。
【請求項５】
補助箱の左右方向の幅を、ワゴン本体の左右方向の幅と同一とするとともに、ワゴン本体の上面に装着したときの補助箱の前後方向の奥行き寸法を、ワゴン本体の上面の奥行き寸法および取付部であるワゴン本体の後面の上下寸法と同一とした請求項１〜４のいずれかに記載のワゴン。
【請求項６】
天板を、支持体に高さ調節可能として装着し、かつ前記天板の下方に、請求項１〜５のいずれかに記載のワゴンを収容してなるワゴン付き机において、
前記支持体における天板より後方の部分に後面板を設け、この後面板の前面における前記天板を最も低い位置に装着したときの天板より下方で、かつワゴン本体の上面より高い位置に、前方に向かって突出し、かつ前端がワゴン本体の上面に装着したときの補助箱の後面に当接することにより、ワゴンを、予め定めた前後方向の定位置に停止させるようにしたストッパを設けたことを特徴とするワゴン付き机。
【請求項７】
ストッパの前後方向の寸法を、ワゴン本体の後面に装着したときの補助箱の前後方向の寸法とほぼ同一とし、ワゴン本体の後面に装着した補助箱の後面が、ストッパの下方において、後面板に当接したときのワゴン本体の前後方向の停止位置が、ワゴン本体の上面に装着した補助箱の後面がストッパの前端に当接したときのワゴン本体の定位置とほぼ等しくなるようにした請求項６記載のワゴン付き机。
【発明の詳細な説明】
【技術分野】
【０００１】
本発明は、ワゴン、およびワゴン付き机に関する。
【背景技術】
【０００２】
学習机等、子供の成長に合わせて天板の高さを調節し得るようになっている机における天板の下方に収容して使用するようにしたワゴンにおいては、天板を低い位置に取り付けた際に、天板と干渉しないようにするため、ワゴン本体を構成する主箱の上面に、補助箱を載置し、この補助箱を分割して、ワゴン以外の部位に収容しうるようにしたものがある（例えば、特許文献１または２参照）。
【特許文献１】特開２００６−２１２１０６号公報
【特許文献２】特開２００７−７５２７５号公報
【発明の開示】
【発明が解決しようとする課題】
【０００３】
しかし、例えば特許文献１および２に記載されているものにおいては、主箱の上面から外した補助箱を、机の他の部位に収容できなかったり、また収容したくないことがある。
このような場合には、補助箱を、倉庫その他の場所に保管せざるを得ず、そのため、保管場所を失念したり、補助箱を紛失したりするおそれがある。
【０００４】
本発明は、従来の技術が有する上記のような問題点に鑑み、ワゴン本体の上面から外した補助箱を、紛失することのないように、また机の天板の高さ調節その他の妨げとなることのないように、ワゴン本体自体に装着しうるようにしたワゴンと、そのワゴンを、体裁よく、また使い勝手のよいように収容しうるようにしたワゴン付き机を提供することを目的としている。
【課題を解決するための手段】
【０００５】
本発明によると、上記課題は、次のようにして解決される。
(１)  ワゴンにおいて、箱状のワゴン本体の上面に、補助箱を載置するか、または着脱自在に設け、かつ前記ワゴン本体の後面に、上面から外した前記補助箱を装着しうる取付部を設ける。
【０００６】
このような構成とすると、ワゴン本体の上面から外した補助箱を、ワゴン本体の後面に設けた取付部に装着することができるので、補助箱を紛失したり、補助箱の保管場所を失念したりするおそれがない。
【０００７】
(２)  上記(１)項において、補助箱に、ワゴン本体の上面と後面の取付部とに共通して結合しうる結合手段を設ける。
【０００８】
このような構成とすると、同一の結合手段をもって、補助箱を、ワゴン本体の上面に取り付けたり、またはワゴン本体の後面の取付部に取り付けたりすることができ、使い勝手がよい。また、部品点数を削減することができる。
【０００９】
(３)  上記(１)または(２)項において、ワゴン本体の下端にキャスタを設けることにより、ワゴン本体が床面上を移動しうるようにするとともに、ワゴン本体の上面に装着したときの補助箱の後面に補助キャスタを設け、前記補助箱をワゴン本体の後面の取付部に、前記補助箱の後面が下方を向くようにして装着したとき、前記補助キャスタが接床するようにする。
【００１０】
このような構成とすると、補助箱をワゴン本体の後面の取付部に装着したとき、補助箱の後面に設けた補助キャスタが接床するので、補助箱を安定よく支持することができる。
【００１１】
(４)  上記(１)〜(３)項のいずれかにおいて、ワゴン本体および補助箱を、前面が開口する箱状とし、各前面開口部に、引出しを前方に出し入れ自在として装着する。
【００１２】
このような構成とすると、ワゴンの使い勝手をよくすることができるとともに、補助箱をワゴン本体の後面の取付部に装着したとき、引出しの前面板が、上方を向いた補助箱の開口部を閉塞し、塵埃が補助箱内に侵入するのを防止することができる。
【００１３】
(５)  上記(１)〜(４)項のいずれかにおいて、補助箱の左右方向の幅を、ワゴン本体の左右方向の幅と同一とするとともに、ワゴン本体の上面に装着したときの補助箱の前後方向の奥行き寸法を、ワゴン本体の上面の奥行き寸法および取付部であるワゴン本体の後面の上下寸法と同一とする。
【００１４】
このような構成とすると、補助箱をワゴン本体の上面に装着したときも、後面に装着したときも、補助箱がワゴン本体から、側方、並びに前後および上下方向はみ出すことがなく、体裁がよく、また補助箱が、ワゴンの移動の妨げとなることがない。
【００１５】
(６)  天板を、支持体に高さ調節可能として装着し、かつ前記天板の下方に、上記(１)〜(５)項のいずれかに記載のワゴンを収容してなるワゴン付き机において、前記支持体における天板より後方の部分に後面板を設け、この後面板の前面における前記天板を最も低い位置に装着したときの天板より下方で、かつワゴン本体の上面より高い位置に、前方に向かって突出し、かつ前端がワゴン本体の上面に装着したときの補助箱の後面に当接することにより、ワゴンを、予め定めた前後方向の定位置に停止させるようにしたストッパを設ける。
【００１６】
このような構成とすると、ワゴンを机の天板の下方に潜入させたとき、ワゴンを、予め定めた前後方向の定位置に停止させることができ、必要以上に奥まった位置まで移動することがなく、体裁および使い勝手がよい。
上記定位置は、ワゴンの前面と、机における支持体の前面、または天板の前端とが同一面となるような位置とするのが好ましい。
【００１７】
(７)  上記(６)項において、ストッパの前後方向の寸法を、ワゴン本体の後面に装着したときの補助箱の前後方向の寸法とほぼ同一とし、ワゴン本体の後面に装着した補助箱の後面が、ストッパの下方において、後面板に当接したときのワゴン本体の前後方向の停止位置が、ワゴン本体の上面に装着した補助箱の後面がストッパの前端に当接したときのワゴン本体の定位置とほぼ等しくなるようにする。
【００１８】
このような構成とすると、補助箱をワゴン本体の上面に配置したときも、後面に配置したときも、ともに補助箱を定位置に停止させることができ、体裁および使い勝手がよい。
【発明の効果】
【００１９】
本発明によると、ワゴン本体の上面から外した補助箱を、紛失することのないように、また机の天板の高さ調節その他の妨げとなることのないように、ワゴン本体自体に装着しうるようにしたワゴン、およびそのワゴンを、体裁よく、また使い勝手のよいように収容しうるようにしたワゴン付き机を提供することができる。
【発明を実施するための最良の形態】
【００２０】
以下、本発明の一実施形態を、添付図面を参照して説明する。  
図１は、本発明のワゴンの一実施形態における補助箱を、ワゴン本体の上面に取り付けようとするときの分解斜視図、図２は、同じく、補助箱をワゴン本体の後面に取り付けようとするときの分解斜視図である。
【００２１】
ワゴン１は、下端に設けた複数キャスタ２により、床面上を移動しうるようにした、前面が開口する箱状のワゴン本体３の上面に、前面が開口する高さの低い箱状の補助箱４を、結合手段である適宜のノックダウン金具５をもって、着脱自在に取り付けたものである。
【００２２】
ノックダウン金具５は、図７に示すように、ワゴン本体３の上面四隅部に設けたねじ孔６に螺合する雄ねじ部７を、大径軸部８の下端に有し、かつ大径軸部８の上端に、小径軸部９を介して、下向半球状の大径頭部１０が連設された連結ボルト１１と、ねじ孔６の上方において、補助箱４の側面の対応部分に設けられた内方を向く円形孔１２に回転自在に嵌合され、かつ外周面に、連結ボルト１１の大径頭部１０が嵌合しうる大径孔１３、およびそれに連続し、連結ボルト１１の小径軸部９が挿通しうる程度の幅とした円周方向を向くスリット１４が設けられ、さらに外端面にすり割り１５が設けられた、外端面が閉塞された横向短円筒状の回転金具１６とからなっている。
回転金具１６における円筒部分の外周壁の厚さは、大径孔１３が設けられた部分が最も薄く、かつ大径孔１３から離れるにしたがって厚くなるように形成されている。
【００２３】
連結ボルト１１の雄ねじ部７を、ワゴン本体３の上面におけるねじ孔６に螺合することにより、連結ボルト１１をワゴン本体３の上面に突設させ、その上方から、大径孔１３が真下を向くようにして、回転金具１６を円形孔１２に装着した補助箱４を下降し、連結ボルト１１の大径頭部１０を回転金具１６の大径孔１３に嵌合させた後、回転金具１６を所要角度回転させることにより、回転金具１６によって連結ボルト１１を引き締めて、補助箱４をワゴン本体３に強固に結合させることができるようになっている。
【００２４】
なお、結合手段は、このようなノックダウン金具５に限るものではなく、単なるボルト、その他の結合具を用いることもできる。
また、補助箱４は、結合手段を用いずに、単にワゴン本体３の上面に載置するだけとすることもある。
【００２５】
ワゴン本体３および補助箱４の前面開口部には、引出し１７、１８、１９が、前方に出し入れ自在として装着されている。
【００２６】
ワゴン本体３の後面は、ワゴン本体３の上面から外した補助箱４を、図２に示すように、前面開口部およびそこに装着された引出し７の前面板１９ａが上方を向くようにして装着しうる取付部２０としてある。
【００２７】
取付部２０であるワゴン本体３の後面四隅部には、ワゴン本体３の上面におけるのと同様のねじ孔６(図示略)が設けられており、このねじ孔６に連結ボルト１１の雄ねじ部７を螺合することにより、補助箱４を、ワゴン本体３の上面に取り付けたときと同一のノックダウン金具５をもって、着脱自在に取り付けることができるようになっている。
【００２８】
補助箱４の左右方向の幅は、ワゴン本体３の左右方向の幅と同一としてあり、またワゴン本体３の上面に装着したときの補助箱４の前後方向の奥行き寸法は、ワゴン本体３の上面の奥行き寸法および取付部８であるワゴン本体３の後面の上下寸法と同一としてある。
【００２９】
ワゴン本体３の上面に装着したときの補助箱４の後面には、キャスタ２と同様の補助キャスタ２１が設けられており、補助箱４をワゴン本体３の後面の取付部２０に、補助箱４の後面が下方を向くようにして装着したとき、補助キャスタ２１が接床するようにしてある。
【００３０】
図３〜図６は、上記ワゴン１を、学習用の机２２に、その一部として用いた、本発明のワゴン付き机の一実施形態を示す。
この机２２は、天板２３と、この天板２３を高さ調節可能として支持する枠体状の支持体２４とを備えている。
【００３１】
支持体２４は、４本の脚杆２５と、前後の脚杆２５、２５の上端部同士、および下端部同士を連結する前後連結杆２６、２７と、後部の脚杆２５、２５の上端部同士を連結する横連結杆２８と、前後の脚杆２５、２５のほぼ上半部間に架設した左右１対の側板２９、２９と、後部の脚杆２５、２５のほぼ上半部間に架設した後面板３０とを備えている。
【００３２】
左右の側板２９、２９の前後部には、複数の高さ調節孔３１が、上下方向に適宜の間隔をもって、かつ互いに対応するものが等高をなすようにして設けられており、天板２３を側板２９に固定するボルトその他の固定具(図示略)を、どの段の高さ調節孔３１に係合させるかによって、天板２３の高さを所要範囲に亘って段階的に調節することができるようになっている。
【００３３】
ワゴン１は、この机２２における天板２３の下方に収容して使用される。
支持体２４における天板２３より後方の後面板３０の前面には、天板２３を最も低い位置に装着したときの天板２３より下方で、かつワゴン本体３の上面より高い位置に、前方に向かって突出し、かつ前端がワゴン本体３の上面に装着したときの補助箱４の後面に当接することによって、ワゴン１を、予め定めた前後方向の定位置に停止させるようにした水平板状のストッパ３２が固着されている。
【００３４】
この予め定めた前後方向の定位置とは、例えば、図４に示すように、ワゴン１の前面と、机２２における支持体２４の前面、または天板２３の前端(図４に示す例では、支持体２４の前面と天板２３の前端とは、同一面としてあるが、それらを異ならせたときには、そのいずれか一方)とが同一面となるような位置とするのが好ましい。
【００３５】
ストッパ３２の前後方向の寸法は、図６に示すように、ワゴン本体１の後面に装着したときの補助箱４の前後方向の寸法とほぼ同一とし、ワゴン本体１の後面に装着した補助箱４の後面が、ストッパ３２の下方において、後面板３０の前面に当接したときのワゴン本体１の前後方向の停止位置が、ワゴン本体１の上面に装着した補助箱４の後面がストッパ３２の前端に当接したときのワゴン本体１の定位置とほぼ等しくなるようにしてある。
【００３６】
したがって、補助箱４をワゴン本体１の上面に配置したときも、後面に配置したときも、ともに補助箱を定位置に停止させることができ、体裁および使い勝手がよい。
【００３７】
また、補助箱４をワゴン本体３の後面の取付部に装着したとき、補助箱４の後面に設けた補助キャスタ２１が接床することにより、補助箱４を安定よく支持することができる。
【００３８】
本発明は、上記実施形態に限定されるもではなく、例えば、次のような変形した態様での実施が可能である。
(１)  後面板３０を省略し、ストッパ３２の左右の端部を、両側板２９、２９に固着して、ストッパ３２を、両側板２９、２９により支持する。また、このとき、ストッパ３２の後端部より、垂下片(図示略)を設け、この垂下片に、ワゴン本体１の後面に装着した補助箱４の後面が当接するようにする。
(２)  引出し１７、１８、１９の全部または一部を省略して実施する。
(３)  補助箱４を、上面が開口する箱体とする。
(４)  ワゴン本体１の後面の取付部に、補助箱４を、その前端開口部が側方を向くようにして取り付ける。
【図面の簡単な説明】
【００３９】
【図１】本発明のワゴンの一実施形態における補助箱をワゴン本体の上面に取り付けようとするときの分解斜視図である。
【図２】同じく、補助箱をワゴン本体の後面に取り付けようとするときの分解斜視図である。
【図３】本発明のワゴン付き机の一実施形態における、天板を最上位とし、かつその下方に、補助箱をワゴン本体の上面に取り付けたワゴンを収容した状態を示す斜視図である。
【図４】図４の要部の拡大縦断側面図である。
【図５】天板を最下位とし、かつその下方に、補助箱をワゴン本体の後面に取り付けたワゴンを収容した状態を示す、図３と同様の斜視図である。
【図６】図５の要部の拡大縦断側面図である。
【図７】図４のVII−VII線拡大縦断正面図である。
【符号の説明】
【００４０】
１  ワゴン
２  キャスタ
３  ワゴン本体
４  補助箱
５  ノックダウン金具(結合手段)
６  ねじ孔
７  雄ねじ部
８  大径軸部
９  小径軸部
１０  大径頭部
１１  連結ボルト
１２  円形孔
１３  大径孔
１４  スリット
１５  すり割り
１６  回転金具
１７、１８、１９  引出し
１９ａ前面板
２０  取付部
２１  補助キャスタ
２２  机
２３  天板
２４  支持体
２５  脚杆
２６  、２７  前後連結杆
２８  横連結杆
２９  側板
３０  後面板
３１  高さ調節孔
３２ストッパ
【図１】
2010022620.tif 000003
【図２】
2010022620.tif 000004
【図３】
2010022620.tif 000005
【図４】
2010022620.tif 000006
【図５】
2010022620.tif 000007
【図６】
2010022620.tif 000008
【図７】
2010022620.tif 000009